(57)【要約】【課題】容易に持ち運びができるとともに、工事現場等での設置も容易にでき、保管の際には大きな保管スペースを必要としないシート製安全掲示板を提供するものである。【解決手段】可撓性のある矩形のシートから作製されたシート製安全掲示板において、シートの周縁に取付枠に取り付けるための紐又は線材を通すハトメ４が間隔をおいて設けられ、シートの表面に表示事項を表示したカード１５，１７，１９，２２，２３を挿入可能且つ透視可能なポケット１４，１６，１８，２０，２１が形成されている。シートの表面にマーカーで書き込み且つイレーザーで払拭して消去可能なフィルムがコーティングされている。【選択図】図２
0003156729.tif 000002
【実用新案登録請求の範囲】
【請求項１】
可撓性のある矩形のシートから作製されたシート製安全掲示板において、シートの周縁に取付枠に取り付けるための紐又は線材を通すハトメが間隔をおいて設けられ、シートの表面に表示事項を表示したカードを挿入可能且つ透視可能なポケットが形成されていることを特徴とするシート製安全掲示板。
【請求項２】
シートの表面にマーカーで書き込み且つイレーザーで払拭して消去可能なフィルムがコーティングされていることを特徴とする請求項１に記載のシート製安全掲示板。
【考案の詳細な説明】
【技術分野】
【０００１】
本考案は、容易に持ち運びができ且つ簡単に設置及び撤去ができるシート製安全掲示板に関する。
【背景技術】
【０００２】
建築現場、生産現場などでは、労働災害防止のために安全管理上の伝達事項などを表示する安全掲示板が設置される。安全掲示板には、作業主任者一覧、無災害労働時間記録表、安全スローガン、現場配置図、作業スケジュール、安全当番、お知らせなどを表示した表示板が取付枠に取り付けられている（特許文献１〜３参照）。
【０００３】
前記特許文献１には、「安全目標」、「作業主任者一覧表」、「無災害記録表」、「重点目標」等の各種確認事項を表示するための表示板を予め複数種用意し、それら表示板を設置現場（工事現場）ごとに適宜選択すると共に、繰り返し使用できる筆写処理を施こした面（筆記面）が正面になるように上下のレール間に差し込んで、表示板取付枠正面側に保持する安全表示板が記載されている。表示板取付枠は支持脚によって自立支持されるので、現場に搬入してそのまま設置し、且つ工事終了後はそのまま搬出し、設置現場においては、夫々の表示板の筆記面に必要事項を筆記し、表示期間若しくは工事終了後は該筆記事項を消去して繰り返しの筆記に備えることができるというものである。
【０００４】
また、前記引用文献２には、架台に支持された支持枠と、支持枠に設けられ前面に掲示開口を形成させつつ掲示板を掲示位置に挟装状に保持させる上下保持枠と、上下保持枠に保持されつつ表面を横に向けた状態で掲示位置に配置保持される金属台板を備えた掲示板と、金属台板表面に磁力貼着手段により磁着される表示シートとを有し、掲示板を掲示位置に挿嵌させるための複数の挿嵌口を備えた構成からなる安全掲示板が記載されている。
【０００５】
また、前記特許文献３には、掲示板の中央枠体を上部中央枠体と下部中央枠体に分割し、中央枠体を垂直に支持する左右のステーを上部ステーと下部ステーに分割し、それぞれ折りたたんで底部枠上に載置するとともに、左右の側板を中央枠体から取外し底部枠上に載置できるようにし、掲示プレートを横から凹溝レールに差し込むようにしたことにより、掲示板を大きくしてもコンパクトな格納状態になるので、中型トラックで運搬ができ、格納面積が小さくてすむ安全掲示板が記載されている。
【先行技術文献】
【特許文献】
【０００６】
【特許文献１】実用新案登録第３００７９５８号公報
【特許文献２】実用新案登録第３０６２９４３号公報
【特許文献３】特開２００３−７６３０７号公報
【考案の概要】
【考案が解決しようとする課題】
【０００７】
前記特許文献１〜３に記載されている安全掲示板は、掲示板の材質が金属製や木製等の曲げることができない板状であるため、持運びにはトラック等が必要となって、乗用車や人が手に持って簡単に運ぶことはできない。
【０００８】
また、掲示板が大きく重たいため、現場での掲示板の組み立て、交換、撤去に複数の人員が必要であり、また手間もかかる。
【０００９】
また、表示板を保管する際には、掲示板が大きいのでそれ専用の保管スペースが必要となる。
【００１０】
そこで、本考案は、容易に持ち運びができるとともに、工事現場等での設置も容易にでき、保管の際には大きな保管スペースを必要としないシート製安全掲示板を提供するものである。
【課題を解決するための手段】
【００１１】
本考案は、可撓性のある矩形のシートから作製されたシート製安全掲示板において、シートの周縁に取付枠に取り付けるための紐又は線材を通すハトメが間隔をおいて設けられ、シートの表面に表示事項を表示したカードを挿入可能且つ透視可能なポケットが形成されていることを特徴とする。
【００１２】
前記構成において、シートの表面にマーカーで書き込み且つイレーザーで払拭して消去可能なフィルムがコーティングされていることを特徴とする。
【考案の効果】
【００１３】
本考案のシート製安全掲示板は、シートが可撓性のある材質により作製されているので、折り曲げて畳んだり、巻いてロール状にしたりしてコンパクトにすることができる。コンパクトにして人で持ち運びができるので、トラックを使用することなく一般車で容易に持運びができる。
【００１４】
また、本考案のシート製安全掲示板は、折り畳んだり、巻いたりして容積を小さくすることができるので、保管時には、棚や隙間などの狭い場所に置くことができるので、従来の掲示板が占有していた広い保管スペースを必要としなくなる。
【００１５】
また、本考案の安全掲示シートは、軽い可撓性のあるシートを使用し、全周にハトメが付いているので、設置の際に紐やワイヤを使用して取付枠に簡単に取り付けることができ、また、台風など際の撤去作業も楽にできる。また、紐やワイヤで取り付けできるので、取付枠だけでなく、紐やワイヤを結んで固定できる箇所があれば簡単に取り付けることが可能である。
【００１６】
また、本考案のシート製安全掲示板は、シート表面にポケットをつけることでカードを挿入して簡単に文字や絵を表示したり、交換したりすることができる。その結果、従来のマグネットシートに文字を貼りそれを掲示板に付けたり両面テープで貼ったりするわずらわしさがなくなる。
【００１７】
また、本考案のシート製安全掲示板は、表面に透明フィルムを貼ることでホワイトボードのようにマーカーで書き込み且つイレーザーで払拭して消去可能とすることにより、表示内容を自由に作製、変更が可能となる。
【図面の簡単な説明】
【００１８】
【図１】本考案のシート製安全掲示板を配置した一例の全体図である。
【図２】本考案のシート製安全掲示板の一例を示す正面図である。
【図３】（ａ）は図２のＡ−Ａ線、（ｂ）は同Ｂ−Ｂ線、（ｃ）は同Ｃ−Ｃ線、（ｄ）は同Ｄ−Ｄ線のそれぞれの断面図である。
【考案を実施するための形態】
【００１９】
図１に示す例において、第１のシート製安全掲示板１、第２のシート製安全掲示板２、第３のシート製安全掲示板３が配置されている。
【００２０】
シート製安全掲示板１〜３の周縁には、取付用ハトメ４が間隔をおいて設けられていれる。取付用ハトメ４に紐あるいはワイヤ５を通して取付枠６に結んで固定する。紐あるいはワイヤ５を取付枠６に結ぶだけなので、簡単に取り付けることができる。また、強風時などには、紐あるいはワイヤ５を解いたりあるいは切断したりすることによりシート製安全掲示板１〜３を簡単に取り外すことができる。
【００２１】
第１のシート製安全掲示板１には、無災害＋記録表７、今日の安全目標８、玉掛けワイヤーロープの点検色９が表示されている。第１のシート製安全掲示板２には、作業主任者一覧表１０、有資格者一覧表１１が表示されている。第３のシート製安全掲示板３には、施工安全サイクル１２、お知らせ１３が表示される。
【００２２】
シートは、可撓性のある矩形のシートを使用する。可撓性のあるシートとしては、ターポリンなどの化学繊維などを織った軽量で強度があり、耐候性を備えたシートを使用する。可撓性のあるシートを使用することにより、折り曲げて畳んだり、あるいはロール巻きにしたりして容積を小さくしてコンパクトにすることができる。その結果、従来の板状の安全掲示板が運搬に複数人を必要とし、また、保管場所を必要とするのに対して、本考案のシート製安全掲示板１〜３は一人で持ち運びができるとともに、保管スペースも少しですむ。
【００２３】
図２に示す第１のシート製安全掲示板１には、無災害＋記録表、目標時間、無災害時間、起算日、今日の日付、今日の安全目標、玉掛ワイヤーロープの点検色などの変更する必要のない文言が印刷により表示されている。
【００２４】
起算日、今日の日付はマーカーにより記入できるように、シートの表面をホワイトボードと同様にマーカーで書き込み、イレーザーで払拭して消去が可能なフィルムでコーティングする。月、日、曜日、お知らせなどの表示内容が変われば、イレーザーで消去し、変更後の内容をマーカーで書き込んで更新することができる。
【００２５】
目標時間を表示する箇所には透明のポケット１４が形成され、定められた目標時間を記入したカード１５が挿入されて目標時間が表示される。無災害時間を表示する箇所には独立した透明のポケット１６が数字の桁の順に並べて形成され、数字を記入したカード１７が挿入されて無災害時間が表示され、無災害時間が更新されるごとにカードが入れ替えられる。今日の安全目標を表示する箇所には、透明のポケット１８が形成され、安全目標が記載されたカード１９が挿入されて表示される。
【００２６】
玉掛ワイヤーロープの点検色の欄では、点検箇所を表示する箇所に透明のポケット２０が形成され点検色を表示する箇所に透明のポケット２０が形成されている。各ポケット２０，２１には、点検箇所及び色を表すカード２２，２３が挿入される。
【００２７】
目標時間、無災害時間、今日の安全目標、玉掛ワイヤーロープの点検色以外に、図１に示すように、作業主任者一覧表１０、有資格者一覧表１１などの表示内容が変更される表示欄にも透明のポケットを設けて、変更があると、あらかじめ用意されている変更された内容が表示されているカード２４〜２６を挿入し、外側から透視できるようする。
【符号の説明】
【００２８】
１：第１のシート製安全掲示板  ２：第２のシート製安全掲示板
３：第３のシート製安全掲示板  ４：ハトメ
５：紐あるいはワイヤ          ６：取付枠
７：無災害＋記録表            ８：今日の安全目標
９：ロープの点検色          １０：作業主任者一覧表
１１：有資格者一覧表          １２：施工安全サイクル
１３：お知らせ                １４：ポケット
１５：カード                  １６：ポケット
１７：カード                  １８：ポケット
１９：カード                  ２０：ポケット
２１：ポケット                ２２：カード
２３：カード
【図１】
0003156729.tif 000003
【図２】
0003156729.tif 000004
【図３】
0003156729.tif 000005